(57)【要約】      （修正有）【課題】シンプルな構造で、製造が便利で、カップにお茶を注ぐ形を用いて、時間をお茶が注がれる瞬間に留め、ユニークな美しい芸術的な効果を人々に与える新型電気スタンドを提供する。【解決手段】新型電気スタンドは、電気スタンドのポール１１０を含め、電気スタンドのポール１１０に伸縮バネが内蔵され、そのポール１１０の片方の端に台座１００が取り付けられ、ポール１１０のもう片方の端に電気スタンドのキャップ１２０が取り付けられ、そのキャップ１２０内にＬＥＤライトがあり、ＬＥＤライトの下にスイッチ１４０が設置される。電気スタンドのポール１１０の形は円弧状であり、電気スタンドのキャップ１２０の形は錐台形であり、台座１００の形は六芒星形である。電気スタンドのキャップ１２０の側壁に取っ手１３０が設置されている。【選択図】図１
0003186891.tif 000002
【実用新案登録請求の範囲】
【請求項１】
新型電気スタンドであり、電気スタンドのポールを含め、その特徴とは：電気スタンドのポールに伸縮バネが内蔵され、そのポールの片方の端に台座が取り付けられ、もう片方の端に電気スタンドのキャップが取り付けられ、そのキャップ内にLEDライトがあり、LEDライトの下にスイッチが設置される。
【請求項２】
請求項1に述べた新型電気スタンドに従って、その特徴は：上述した電気スタンドのポールの形は円弧状であり、電気スタンドのキャップの形は錐台形であり、台座の形は六芒星形である。
【請求項３】
請求項1に述べた新型電気スタンドに従って、その特徴は：上述した電気スタンドのキャップの側壁に取っ手が設置されている。
【考案の詳細な説明】
【技術分野】
【０００１】
本実用新案は家電製品の分野に関与して、特に新型電気スタンドの分野に関与する。
【背景技術】
【０００２】
電気スタンドは人々の生活に、照明するための家電製品である。市場に出回っている目に優しいフリッカーのない電気スタンドでは、殆ど電子バラストの頻度を高める方法を利用している。それはハイストロボと言えるが、本当のフリッカーがしない電気スタンドとは言えない。大体2種類に分けられ、一種類はコラム式で、もう一種類はクリップ式である。その稼働原理は、小さな領域にライトの焦点を当て、仕事と学習に便利である。一般的な電気スタンドは省エネ電球や白熱電球を使い、もう一種類は市場に出回っている目に優しい電気スタンドである。ある電気スタンドは応急機能が付き、停電時の照明に使われる。
【０００３】
電気スタンドの種類が多く、使われる場所によって、電気スタンドの大きさ、スタイル、材質も違いがある。例えば、ホテルに使用される電気スタンドは家庭用よりかなり大きく、特にロビーに使われる電気スタンドのサイズがもっと多きく、豪華で、重いものである。ヨーロッパ風のアンティーク模造品電気スタンドは魅力的であり、ヨーロッパの建築様式に加えれば、錦上に花を添える効果がある。現代的なビジネスホテルのスイートでは、現代的なシンプルな電気スタンドを使えば、人に爽やかで、見るもの聞くもの全て新しく感じさせる。高級ハイエンド電気スタンドは、相応しい環境と組み合わせ、良い空間効果を果たせれば、点けても、消されても、芸術品である。従って、デザイナーにとって、電気スタンドのデザイン、スタイル、値段をよく考慮する必要がある。現在、市場に提供された電気スタンドの種類が多く、しかし、瞬間をフリーズする芸術的効果がある関連製品は殆どなく、また性能が良くなく、不足が存在している。
【０００４】
従って、従来の技術の欠陥に対し、その不足を解決するために、新型の電気スタンドが必要としている。
【考案の概要】
【考案が解決しようとする課題】
【０００５】
本実用新案で解決しようとする技術問題とは、日常生活における蛇口の欠点で、実際の使用に大きな影響を与えたことに対し、新型の電気スタンドを提供する。シンプルな構造で、製造が便利である。カップにお茶を注ぐ形を用いて、時間をお茶が注がれる瞬間に留め、ユニークな美しい芸術的な効果を人々に与える。実用性能が優れ、従来の技術欠陥を解決した。
【課題を解決するための手段】
【０００６】
上述した目的を達成するために、本実用新案では、次の技術的な案を通して、実現したものである：
【０００７】
この実用新案の新型電気スタンドは、電気スタンドのポールを含め、電気スタンドのポールに伸縮バネが内蔵され、そのポールの片方の端に台座が取り付けられ、もう片方の端に電気スタンドのキャップが取り付けられ、そのキャップ内にLEDライトがあり、LEDライトの下にスイッチが設置される。
【０００８】
この実用新案の新型電気スタンドのポールの形は円弧状であり、電気スタンドのキャップの形は錐台形であり、台座の形は六芒星形である。
【０００９】
この実用新案の新型電気スタンドのキャップの側壁に取っ手が設置されている。
【考案の効果】
【００１０】
本実用新案の有益な効果とは：この新型電気スタンドはシンプルな構造であり、製造が便利で、カップにお茶を注ぐ形を用いて、時間をお茶が注がれる瞬間に留め、ユニークな美しい芸術的な効果を人々に与える。リアルかつ創造的で、優れた実用性能と斬新なデザインなどの利点を持ち、良い革新案であり、良い市場見通しがある。
【図面の簡単な説明】
【００１１】
【図１】本実用新案の新型電気スタンドの構造概略図である。
【考案を実施するための形態】
【００１２】
本実用新案の技術手段、創造特徴、目的と効果を容易に説明するために、具体的な添付図面に合せて、より詳しく説明する。
【００１３】
図1の様に、新型電気スタンドは、電気スタンドのポール110を含め、電気スタンドのポール110に伸縮バネが内蔵され、そのポール110の片方の端に台座100が取り付けられ、ポール110のもう片方の端に電気スタンドのキャップ120が取り付けられ、そのキャップ120内にLEDライトがあり、LEDライトの下にスイッチ140が設置される。
【００１４】
この実用新案の新型電気スタンドのポール110の形は円弧状であり、電気スタンドのキャップ120の形は錐台形であり、台座100の形は六芒星形である。
【００１５】
この実用新案の新型電気スタンドのキャップ120の側壁に取っ手130が設置されている。
【００１６】
上記に基づき、この新型電気スタンドはシンプルな構造であり、製造が便利で、カップにお茶を注ぐ形を用いて、時間をお茶が注がれる瞬間に留め、ユニークな美しい芸術的な効果を人々に与える。リアルかつ創造的で、優れた実用性能と斬新なデザインなどの利点を持ち、良い革新案であり、良い市場見通しがある。
【００１７】
この分野の技術者は以下のことを理解すべき：本実用新案が上記実施例に制限されなく、上記実施例と説明書に記述された内容は、本実用新案の原理を説明するだけである。本実用新案の本質と範囲を離脱しない前提で、様々な変化と改善が提供されるはず。これらの変化と改善はすべて本実用新案の保護範囲に覆われる。本実用新案に要求された保護範囲は、添付する請求の範囲及びそれと同等物に準じる。
【符号の説明】
【００１８】
100  台座
110  ポール
120  キャップ
130  取っ手
140  スイッチ
【図１】
0003186891.tif 000003
【手続補正書】
【提出日】平成25年9月4日(2013.9.4)
【手続補正１】
【補正対象書類名】実用新案登録請求の範囲
【補正対象項目名】全文
【補正方法】変更
【補正の内容】
【実用新案登録請求の範囲】
【請求項１】
新型電気スタンドであり、電気スタンドのポールを含め、その特徴とは：電気スタンドのポールに伸縮バネが内蔵され、そのポールの片方の端に台座が取り付けられ、もう片方の端に電気スタンドのキャップが取り付けられ、そのキャップ内にLEDライトがあり、LEDライトの下にスイッチが設置されることを特徴とする新型電気スタンド。
【請求項２】
請求項1に記載の新型電気スタンドにおいて、その特徴は：上述した電気スタンドのポールの形は円弧状であり、電気スタンドのキャップの形は錐台形であり、台座の形は六芒星形であることを特徴とする新型電気スタンド。
【請求項３】
請求項1に記載の新型電気スタンドにおいて、その特徴は：上述した電気スタンドのキャップの側壁に取っ手が設置されていることを特徴とする新型電気スタンド。